(57)【要約】【課題】身体にかかる重力の負荷を軽減させることができ、手や足などが軽く感じられると共に、腕や脚が動きやすくなって疲労感を感じさせないスポーツウェアを提供する。【解決手段】伸縮性生地からなる身体に密着する上半身用のスポーツウェア１である。前身頃２および後身頃３の内面に、筋肉にかかる重力の負荷を軽減させる伸縮性テープ７を配設する。該伸縮性テープ７は、毛流、毛渦および身体の運動方向に基づいて所定の位置に配設する。【選択図】図１
2011122264.tif 000002
【特許請求の範囲】
【請求項１】
伸縮性生地からなる身体に密着する上半身用のスポーツウェアであって、前身頃と後身頃の内面に、筋肉にかかる重力の負荷を軽減させる伸縮性テープを配設し、該伸縮性テープは、毛流、毛渦および身体の運動方向に基づいて所定の位置に配設したことを特徴とするスポーツウェア。
【請求項２】
前記前身頃には少なくとも大胸筋、前鋸筋、腹直筋、腹斜筋にかかる重力の負荷を軽減させる伸縮性テープを配設したことを特徴とする請求項１に記載のスポーツウェア。
【請求項３】
前記後身頃には少なくとも僧帽筋、棘下筋、小円筋、大円筋、広背筋、脊柱起立筋にかかる重力の負荷を軽減させる伸縮性テープを配設したことを特徴とする請求項１または２に記載のスポーツウェア。
【請求項４】
前記大胸筋と前鋸筋にかかる重力の負荷を軽減させる伸縮性テープは、交差して配設され、前記腹直筋と腹斜筋にかかる重力の負荷を軽減させる伸縮性テープは、中心部から側方に向かって斜め上方に傾斜して配設したことを特徴とする請求項２に記載のスポーツウェア。
【請求項５】
前記僧帽筋、棘下筋、小円筋、大円筋、広背筋にかかる重力の負荷を軽減させる伸縮性テープは、逆Ｖ字状に配設され、前記脊柱起立筋にかかる重力の負荷を軽減させる伸縮性テープは、中心部から側方に向かって斜め上方に傾斜して配設したことを特徴とする請求項２に記載のスポーツウェア。
【請求項６】
前記伸縮性テープは、表面にスパンデックス糸をパイル状に突出させた滑り防止機能付きであることを特徴とする請求項１〜５のいずれか１項に記載のスポーツウェア。
【請求項７】
伸縮性生地からなる身体に密着する下半身用のスポーツウェアであって、前身頃と後身頃の内面に、筋肉にかかる重力の負荷を軽減させる伸縮性テープを配設し、該伸縮性テープは、毛流、毛渦および身体の運動方向に基づいて所定の位置に配設したことを特徴とするスポーツウェア。
【請求項８】
前記前身頃には少なくとも大腿四頭筋、内転筋群にかかる重力の負荷を軽減させる伸縮性テープを配設したことを特徴とする請求項７に記載のスポーツウェア。
【請求項９】
前記後身頃には少なくとも、大腿二頭筋、下腿三頭筋にかかる重力の負荷を軽減させる伸縮性テープを配設したことを特徴とする請求項７または８に記載のスポーツウェア。
【請求項１０】
前記大腿四頭筋、内転筋群にかかる重力の負荷を軽減させる伸縮性テープは、側方に向かって斜め上方に傾斜して配設したことを特徴とする請求項８に記載のスポーツウェア。
【請求項１１】
前記大腿二頭筋、下腿三頭筋にかかる重力の負荷を軽減させる伸縮性テープは、左右の弧状テープを交差して配設したことを特徴とする請求項９に記載のスポーツウェア。
【請求項１２】
前記伸縮性テープは、表面にスパンデックス糸をパイル状に突出させた滑り防止機能付きであることを特徴とする請求項７〜１１のいずれか１項に記載のスポーツウェア。
【発明の詳細な説明】
【技術分野】
【０００１】
本発明は、上半身および下半身に密着した状態で着用するスポーツインナーに関するものであり、さらに詳しくは、運動時における身体にかかる重力の負荷を軽減できるスポーツウェアに関するものである。
【背景技術】
【０００２】
従来から、各種のスポーツなどを行う際、負傷を予防したり、もしくは負傷した部位の悪化を防止するために、筋肉、靱帯、関節などに伸縮テープを巻回して固定するテーピングが広く行われている。そのテーピングは、前述のような負傷を未然に防ぐばかりでなく、負傷時の救急措置としても使用されると共に、治癒後は負傷箇所の補強、強化を図るためにも使用されている。
【０００３】
テーピングは曲がるべき方向に撓み、曲げると危険な方向に曲がらないように筋肉、靱帯、関節などの構造を考量した上で、固定措置をしなければ効果が得られず、所定の筋肉部位に的確にテープを巻回緊締することが肝心であり、テーピング処置を誤ると、筋肉などに不都合が生じ血行障害などが起こりやすくなり筋肉に悪影響を及ぼす原因になる。
【０００４】
したがって、テーピングを施すには素人には無理でトレーナなど専門家にテーピングをしてもらわなければならない煩わしさがあり、また、テープの巻回、解除に際して時間を要すると共に、長い間、巻回しておくと皮膚の蒸れによる痒みが生じるなど衛生的にもよくないといった問題点があった。
【０００５】
このような問題を解消するために、身体にテープを巻回緊締するのでなく、例えば、ウエスト部から膝上部までの身体に密着して着用される伸縮素材よりなるスパッツ本体と、膝上部を締め付けるベルトからなり、スパッツ本体は所定の部位にサポート用の当て布が設けられていると共に、サポート用当て布はスパッツ本体の他の構成部材より緊締力の強い伸縮素材で構成されたスポーツ用スパッツが提案されている（特許文献１参照）。
【先行技術文献】
【特許文献】
【０００６】
【特許文献１】特開平９−１４９９５９号公報
【発明の概要】
【発明が解決しようとする課題】
【０００７】
上記特許文献１のスポーツ用スパッツは、着用すれば当て布が所定の部位に密着し、瞬時にしてテーピング処置と同等のテーピング効果を有するが、この当て布方法では、運動時における身体にかかる重力の解放ができないといった問題点があった。
【０００８】
すなわち、地球上では常に重力が働いており、人間は重力によって身体を引っ張られている。仮に手や足などを上方に挙げたり、曲げたりして身体を動かすと、更にその重力方向（下方）に身体は引っ張られることになるが、前記のテーピング機能を保持するスポーツ用スパッツでは、所定部位を緊張して筋肉の補強と補助をするだけであり、重力に逆らうまでのものではなく、サポートはできても、更にそれより進んで重力を解放することまではできなかった。そのため、身体の動きがスムーズにならず着心地が悪いといった問題点があった。
【０００９】
本発明は、上記のような問題点を解決することを課題として研究開発されたもので、着用すると身体にかかる重力の負荷を軽減させることができ、手や足などが軽く感じられると共に、腕や脚が動きやすくなって疲労感を感じさせないスポーツウェアを提供することを目的とするものである。
【課題を解決するための手段】
【００１０】
上記の課題を解決し、その目的を達成する手段として本発明は、伸縮性生地からなる身体に密着する上半身用のスポーツウェアであって、前身頃と後身頃の内面に、筋肉にかかる重力の負荷を軽減させる伸縮性テープを配設し、該伸縮性テープは、毛流、毛渦および身体の運動方向に基づいて所定の位置に配設したことを特徴とするスポーツウェアを開発し、採用した。
【００１１】
上記のように構成した上半身用スポーツウェアにおいて、前記前身頃には少なくとも大胸筋、前鋸筋、腹直筋、腹斜筋にかかる重力の負荷を軽減させる伸縮性テープを配設したことを特徴とするスポーツウェア、および前記後身頃には少なくとも僧帽筋、棘下筋、小円筋、大円筋、広背筋、脊柱起立筋にかかる重力の負荷を軽減させる伸縮性テープを配設したことを特徴とするスポーツウェア、および前記大胸筋と前鋸筋にかかる重力の負荷を軽減させる伸縮性テープは、交差して配設され、前記腹直筋と腹斜筋にかかる重力の負荷を軽減させる伸縮性テープは、中心部から側方に向かって斜め上方に傾斜して配設したことを特徴とするスポーツウェア、および前記僧帽筋、棘下筋、小円筋、大円筋、広背筋にかかる重力の負荷を軽減させる伸縮性テープは、逆Ｖ字状に配設され、前記脊柱起立筋にかかる重力の負荷を軽減させる伸縮性テープは、中心部から側方に向かって斜め上方に傾斜して配設したことを特徴とするスポーツウェア、および前記伸縮性テープは、表面にスパンデックス糸をパイル状に突出した滑り防止機能付きであることを特徴とするスポーツウェアを開発し、採用した。
【００１２】
また、本発明は、伸縮性生地からなる身体に密着する下半身用のスポーツウェアであって、前身頃および後身頃の内面に、筋肉にかかる重力の負荷を軽減させる伸縮性テープを配設し、該伸縮性テープは、毛流、毛渦および身体の運動方向に基づいて所定の位置に配設したことを特徴とするスポーツウェアを開発し、採用した。
【００１３】
上記のように構成した下半身スポーツウェアにおいて、前記前身頃には少なくとも大腿四頭筋、内転筋群にかかる重力の負荷を軽減させる伸縮性テープを配設したことを特徴とするスポーツウェア、および前記後身頃には少なくとも、大腿二頭筋、下腿三頭筋にかかる重力の負荷を軽減させる伸縮性テープを配設したことを特徴とするスポーツウェア、および前記大腿四頭筋、内転筋群にかかる重力の負荷を軽減させる伸縮性テープは、側方に向かって斜め上方に傾斜して配設したことを特徴とするスポーツウェア、および前記大腿二頭筋、下腿三頭筋にかかる重力の負荷を軽減させる伸縮性テープは、左右の弧状テープを交差して配設したことを特徴とするスポーツウェア、および前記伸縮性テープは、表面にスパンデックス糸をパイル状に突出させた滑り防止機能付きであることを特徴とするスポーツウェアを開発し、採用した。
【発明の効果】
【００１４】
本発明によれば、上半身用および下半身用のスポーツウェアを着用すると、肌側にある伸縮性テープが所定の筋肉部位にかかる重力の負荷を軽減させることができ、手や腕、肘や肩および足や膝などを上げたり、下げたり、伸ばしたり、縮めたり、曲げたり、折ったりしやすくなり、各種のスポーツをする時に身体が軽く感じられ競技の向上を図ることができる。また、伸縮性テープは、体毛の毛流、毛渦と身体の運動方向に基づいて所定の位置に配置してあるから、所定の筋肉にかかる重力の負荷を軽減させて身体の動きをスムーズにすることができる。勿論、従来の筋肉の補強や補助などのサポートとしても使用できる。さらに、伸縮性テープは、スパンデックス糸をパイル状に突出した滑り防止め機能付きであるから、所定の筋肉部位に密着してずれ動くことなく保持されて筋肉にかかる重力の負荷を軽減させることができる。
【図面の簡単な説明】
【００１５】
【図１】本発明の第１実施形態を示す上半身用衣類のフロント側の内面を示す正面図である。
【図２】本発明の第１実施形態を示す上半身用衣類のバック側の内面を示す正面図である。
【図３】本発明の第２実施形態を示す下半身用衣類のフロント側の内面を示す正面図である。
【図４】本発明の第２実施形態を示す下半身用衣類のバック側の内面側を示す正面図である。
【図５】伸縮性テープの簡略斜視図である。
【図６】人体の正面側の筋肉図を示す簡略図である。
【図７】人体の背面側の筋肉図を示す簡略図である。
【発明を実施するための最良の形態】
【００１６】
はじめに、本発明の理解を容易にするために、図６の正面側の筋肉名称と部位および図７の背面側の筋肉名称と部位を示す。正面側の筋肉として、３１が僧帽筋、３２が大胸筋、３３が前鋸筋、３４が腹直筋、３５が腹斜筋、３６が三角筋、３７が上腕二頭筋、３８が前腕屈筋群、３９が大腿四頭筋である。背面側の筋肉として、４０が広背筋、４１が脊柱起立筋、４２が棘下筋、４３が小円筋、４４が大円筋、４５が中臀筋、４６が大臀筋、４７が大腿二頭筋、４８が腓腹筋、４９がヒラメ筋である。
【００１７】
以下に、本発明の第１実施の形態を添付の図１および２に基づいて説明すると、１はポリアミド８５％とポリウレタン１５％の糸使いにより交編された長袖の上半身用スポーツインナーであり、このスポーツインナー１は、縦横方向に伸縮する２ウェイ生地からなり着用すると上半身の身体に密着するようになっている。
【００１８】
２は身体の前面を覆う前身頃、３は身体の後面を覆う後身頃、４は腕部を覆う袖部であり、前身頃２の上部にある丸首部５の外周部から中心部にかけて下方に延び胸郭の近傍に達する長さで中間部を最細部とした非伸縮性中央布片６を縫着してあり、繰り返しの洗濯によっても丸首部５の周囲が伸びてだれ気味にならないようにしてある。
【００１９】
前記前身頃２、後身頃３の内面側には所定の筋肉部位と対応する箇所に、筋肉にかかる重力の負荷を軽減させる伸縮性テープ７が裏打ちされ縫着一体化されている。この伸縮性テープ７は、伸縮性糸により経編で編成されたテープであり、筋肉にかかる重力の負荷を軽減させる、すなわち、筋肉を保持することができるように幅５０ｍｍ程度のものが適しており、肌側の当接面にはスパンデックス糸をパイル状７ａに突出した滑り防止機能が付与されている。
【００２０】
この伸縮性テープ７が縫着されている位置は、体毛の毛流、毛渦および身体の運動方向に基づいて決められており、所定の位置に配設することにより、後述する効果が生じるものである。この伸縮性テープ７の縫着位置と各筋肉の位置する関係を前身頃２から順に説明するが、いずれの伸縮性テープ７においても、正面中心部に対して左右対称の位置に取付けられていることに変わりがない。
【００２１】
胸部の伸縮性テープ８は、僧帽筋３１から大胸筋３２に達する長さで下方に向かって狭くなる胸部縦テープ８ａ、８ａと、大胸筋３２を斜断して前記胸部縦テープ８ａ、８ａの略中間部と交差して一端部が丸首部５の外周部に達する胸部斜めテープ８ｂ、８ｂと、前鋸筋３３を横断して前記胸部縦テープ８ａ、８ａの下端部と交差する胸部横テープ８ｃ、８ｃとで構成されている。これらの胸部縦テープ８ａと胸部斜めテープ８ｂと胸部横テープ８ｃとによって、大胸筋３２を上方へ牽引することになり、胸郭が高い位置で保持できるため、胸郭の広がりを補助し、呼吸するのが楽になる。また、胸部を張り背筋を伸ばして良い姿勢を保ちやすくすることができる。
【００２２】
肩部の伸縮性テープ９は、三角筋３６から上腕二頭筋３７に延びる肩部斜めテープ９ａ、９ａと、上腕二頭筋３７から前腕屈筋群３８に達する腕部斜めテープ９ｂ、９ｂとからなり、後述の背面部の伸縮性テープ１１との連動で、上腕を外旋位で保持させることになり、腕を後方に引く、あるいは挙上する動作を容易にできるのと同時に力強くすることができる。
【００２３】
腹部の伸縮性テープ１０は、腹直筋３４、腹斜筋３５、前鋸筋３３に密着するテープで、前身頃２の内面中心部から両側方に向かって斜め上に緩やかに傾斜し、中心部で両側部の上端が接し、小間隔毎にテープ１０ａ，１０ｂ，１０ｃ，１０ｄを４列配設して構成されている。これらのテープにより腹筋群を斜め上方に牽引することにより内臓の下垂を防止することができる。
【００２４】
つぎに、後身頃３の背面部の伸縮性テープ１１は、胸郭の上部の広背筋４０から僧帽筋３１に達する３個の逆Ｖ字状テープ１１ａ、１１ｂ、１１ｃと、広背筋４０と脊柱起立筋４１に当接する菱形状テープ１１ｄと、その菱形状テープ１１ｄの中央部を横切る横テープ１１ｅとで構成されている。これらのテープにより胸背部を中央へ寄せると共に、胸郭を持ち上げることになり呼吸を楽にすることができる。また、背筋を真っ直ぐに整えると共に、肩の疲労を軽減することができる。
【００２５】
腰部の伸縮性テープ１２は、広背筋４０の下部と脊柱起立筋４１、中臀筋４５の部位に当接する中央部から両側上方に向かって緩やかに傾斜する複数列の浅いＶ字状テープ１２ａ……１２nで構成されている。腰部を中央へ寄せることで、腰を楽に感じさせることができると同時に、前面腹部の下垂を防止することができる。
【００２６】
背面上部の伸縮性テープ１３は、僧帽筋３１の上部を横切る僧帽筋横テープ１３aと、僧帽筋３１の左右両側部に位置する僧帽筋縦テープ１３ｂ、１３ｂと、僧帽筋３１を斜めに横切る僧帽筋斜めテープ１３ｃ、１３ｃとで構成されている。これらのテープにより僧帽筋３１の中部を寄せ合わせて肩甲骨の外転を防ぐと共に、肩甲骨を下方へ牽引させることにより猫背の防止を図ることができる。
【００２７】
背面の肩部伸縮テープ１４は、三角筋３６から僧帽筋３１に達し、前記逆Ｖ字状テープ１１ｃの側部に達している肩部斜めテープ１４ａ，１４ａと、上腕二頭筋３７から前腕屈筋群３８に達する腕部斜めテープ１４ｂ、１４ｂから構成されている。これらのテープにより上腕を外旋位に保持でき、上腕の挙上げ、後方への動きを容易にするのと同時に力強くさせることができる。
【００２８】
このように構成したスポーツインナーなどの上半身用衣類を着用すると、胸部、肩部、腹部、背面部、腰部など所定の筋肉にかかる重力の負荷を軽減させることができる。すなわち伸縮性テープで筋肉を保持することになり、手や腕、肘や肩および足や膝などを上げたり、下げたり、伸ばしたり、縮めたり、曲げたり、折ったりしやすくなる。また、運動時における呼吸が楽にできて、疲労感を軽減することができる。さらに、背筋がのびてよい姿勢を保持できる。
【００２９】
つぎに、図３，４に示すのは、本発明の第２実施の形態を示す下半身用スポーツインナーであり、この下半身用スポーツインナー２１は、第１実施例と同様にポリアミドとポリウレタンにより交編された足首まである長さのロングタイプのもので、縦横方向に伸縮する２ウェイ生地からなり着用すると下半身の身体に密着するようになっている。
【００３０】
前身頃２２と後身頃２３の内面側には所定の筋肉部位と対応する箇所に伸縮性テープ２４が裏打ち縫着されて一体化されている。この伸縮性テープ２４は、前記第１実施の形態と全く同じ材料で同じ大きさのものであり、肌側の当接面にスパンデックス糸をパイル状２４ａに突出した滑り防止機能が付与されているのも同じである。
【００３１】
大腿部の伸縮性テープ２５は、外側広筋と大腿直筋と中間広直筋と内側広筋とからなる大腿四頭筋に当接し、膝部から股下までの間に配されており、後身頃２３の背面中央から内転筋群まで横方向に延び、さらに前身頃２２の内転筋群から側方に向かって斜め上に向かって傾斜する小間隔毎に配した傾斜テープ２５ａ……２５ｎと、前身頃２２の下腹部に配されるＶ字状テープ２５ｂとで構成されている。矢印方向に牽引することにより、傾斜テープ２５ａ……２５ｎで大腿部を外旋させることになり大腿部の挙上が容易になり、脚が軽く感じられ、また、着床時に膝が内旋しにくくなり安定感が増す。またＶ字状テープ２５ｂにより下腹部を挙上させることで体幹が安定し、かつ足が軽く感じられる。
【００３２】
腰部の伸縮性テープ２６は、腹横筋に当接する横テープ２６ａにより、骨盤を安定させることで腰が楽に感じられる。
【００３３】
臀筋群の伸縮性テープ２７は、臀筋群に当接する縦テープで、後身頃２３の中心部に縦方向にテープ２７ａを３本配して中臀筋４５および大臀筋４６に達する長さになっている。この臀筋群縦テープ２７ａによりヒップアップ効果があり腰が楽に感じられる。
【００３４】
下腿部の伸縮性テープ２８は、腓腹筋４８とヒラメ筋４９からなる下腿三頭に当接する左右弧状テープ２８ａ，２８ａであり、左右の弧状テープ２８ａ、２８ａが交差しており、足首と膝の曲げ伸ばしが容易になり、走行時において、足の回転が軽く早く感じられる。
【００３５】
このように構成したスポーツインナーの下半身用衣類を着用すると、腰部、腹部、臀部、脚部の所定の筋肉にかかる重力の負荷を軽減させることができる。すなわち伸縮性テープで筋肉を保持することになり、重力に逆らうことになって身体を軽く感じさせ各種スポーツをするときに着用すれば身体の動きがスムーズになる。また、内側に足をひねる動作を伴う運動の際に、これらの運動能力を補助したり、これらの筋肉の筋肉疲労の軽減や肉離れなどを予防するのに一層好適である。
【００３６】
以上、本発明の主要な実施の形態においては、上半身用スポーツウェアと下半身用スポーツウェアで説明したが、必ずしもこれらに限定されるものではなく、発明の目的を達成でき、かつ発明の要旨を逸脱しない範囲内において種々の設計変更が可能であることは当然のことである。
【産業上の利用可能性】
【００３７】
本発明は、ランニングシャツ、アンダーシャツなどの上半身衣類あるいはスパッツ、タイツなどの下半身衣類など身体に密着して着用される衣料品に利用することができる。
【符号の説明】
【００３８】
１    上半身用衣類    
２    前身頃
３    後身頃
７    伸縮性テープ
２１  下半身用衣類
２２  前身頃
２３  後身頃
２４  伸縮性テープ
【図１】
2011122264.tif 000003
【図２】
2011122264.tif 000004
【図３】
2011122264.tif 000005
【図４】
2011122264.tif 000006
【図５】
2011122264.tif 000007
【図６】
2011122264.tif 000008
【図７】
2011122264.tif 000009